(57)【要約】【課題】食器棚の扉の裏面に食器を収納可能とする収納部を設けた場合に、収納及び取出しのしやすさと、食器の脱落の抑制の両立を図る食器棚とする。【解決手段】前面に開口部１２を有する箱状の収納部本体１４と、開口部１２の側端側に回動可能に枢支されており開口部１２を開閉可能な扉２０と、扉２０の裏面２２に配設されており食器を収納可能とするラック２６と、を有する食器棚１０であって、ラック２６は、食器の下面を支持可能な下面支持部２８と、下面支持部２８に支持された状態の食器の周囲を囲むように立設されている側方支持部３０と、を有し、側方支持部３０の一部には、食器の少なくとも一部が持ち上げられて食器の少なくとも一部の下面が下面支持部から離れた状態において、水平投影で見て食器の少なくとも一部が通過可能な凹部３２を有している。【選択図】図２
2017038699.tif 000002
【特許請求の範囲】
【請求項１】
前面に開口部を有する箱状の収納部本体と、
前記開口部の側端側に回動可能に枢支されており前記開口部を開閉可能な扉と、
前記扉の裏面に配設されており食器を収納可能とするラックと、を有する食器棚であって、
前記ラックは、前記食器の下面を支持可能な下面支持部と、前記下面支持部に支持された状態の食器の周囲を囲むように立設されている側方支持部と、を有し、
前記側方支持部の一部には、前記食器の少なくとも一部が持ち上げられて前記食器の少なくとも一部の下面が前記下面支持部から離れた状態において、水平投影で見て前記食器の少なくとも一部が通過可能な凹部を有している食器棚。
【請求項２】
請求項１に記載の食器棚であって、
前記凹部は、前記側方支持部のうち前記扉の裏面と対向する部位の一部に設けられている食器棚。
【請求項３】
請求項１または請求項２に記載の食器棚であって、
前記凹部は、前記側方支持部の上端から下端に向けて幅が狭まった形状である食器棚。
【請求項４】
請求項１から請求項３にいずれかに記載の食器棚であって、
前記凹部の下方には、前記下面支持部上に支持された食器の脱落を抑制する脱落抑制部が設けられている食器棚。
【発明の詳細な説明】
【技術分野】
【０００１】
本発明は、食器棚に関する。
【背景技術】
【０００２】
従来の食器棚には、多くの食器を収納させるために奥行の深い態様がある。このような食器棚においては、積み重ねた食器を収納棚の奥行方向に列にして並べなければならなかった。そのため、奥側に収納した食器が取り難いという問題があった。例えば、奥側の食器を取り出すためには、一旦手前の食器を外に出さなければならいため煩わしさがあった。また、奥側の食器を無理に取り出そうとして手前の食器を落下させてしまうという懸念もあった。
【０００３】
そこで、特許文献１のような食器棚が知られている。特許文献１における食器棚は、奥行の深い食器棚に開き扉を採用した態様である。この扉の裏面側には食器を収納できる収納部が取り付けられている。一方、収納棚は、収納部の奥行分だけ奥行が浅く設定されている。すなわち従来のように食器を奥行方向に列に収納していた態様に代えて、扉側の収納部と収納棚に分離して収納することで食器が取りやすくなる。これにより、食器の収納と取り出しの利便性を向上している。
【先行技術文献】
【特許文献】
【０００４】
【特許文献１】特開平５−４９５１５号公報
【発明の概要】
【発明が解決しようとする課題】
【０００５】
しかしながら、上記特許文献１の技術における収納部は、取り出し口が扉と対向した位置とされており、食器を水平方向から収納及び取り出しする態様である。そのため、係る収納部に倒れやすい食器を収納した場合、収納部から食器が落下するおそれがある。また、扉を勢いよく開けた場合に食器が飛び出してしまうおそれもある。
【０００６】
上記の対策として扉に設ける収納部の開口を上面側に設けることで解消されるとも考えられる。しかし、単純に収納部の開口を上面側に設けるのみでは、食器を収納及び取り出す際に上面側の開口まで持ち上げる必要があるため扱いにくいという懸念がある。これは、全長の高い食器棚の扉側に多くの食器を収納させるべく複数の収納部を設けた場合において、上方側に設けた収納部でより顕著となる。更には、身長が大きくない使用者にはより顕著となり得る。また、上下に積み重ねた食器を複数個まとめて取り出すことが困難なことも懸念される。
【０００７】
本発明は、このような点に鑑みて創案されたものであり、本発明が解決しようとする課題は、食器棚の扉の裏面に食器を収納可能とする部位を設けた場合に、収納及び取出しのしやすさと、食器の脱落の抑制の両立を図る食器棚とすることにある。
【０００８】
上記課題を解決するために、本発明の食器棚は次の手段をとる。先ず、第１の発明は、前面に開口部を有する箱状の収納部本体と、前記開口部の側端側に回動可能に枢支されており前記開口部を開閉可能な扉と、前記扉の裏面に配設されており食器を収納可能とするラックと、を有する食器棚であって、前記ラックは、前記食器の下面を支持可能な下面支持部と、前記下面支持部に支持された状態の食器の周囲を囲むように立設されている側方支持部と、を有し、前記側方支持部の一部には、前記食器の少なくとも一部が持ち上げられて前記食器の少なくとも一部の下面が前記下面支持部から離れた状態において、水平投影で見て前記食器の少なくとも一部が通過可能な凹部を有している。
【０００９】
この第１の発明によれば、前記側方支持部の一部には、食器の少なくとも一部が持ち上げられて食器の少なくとも一部の下面が下面支持部から離れた状態において、水平投影で見て食器の少なくとも一部が通過可能な凹部を有している。食器は、係る凹部を通過するため、食器が側方支持部を乗り越える高さを抑制し得る。そのため、食器の収納及び取り出しがしやすくなる。また、凹部によって食器が側方支持部を乗り越える高さを抑制し得ることから、扉側にラックを上下に複数設ける際にラック間の設置間隔を小さくすることができる。また、凹部に手を差し込むことで、ラックに積み重ねられた複数枚の食器をまとめて掴むことができるため、食器の取り出しがしやすくなる。さらに、凹部に手を差し込めることから、ラック内に手を差し込むスペースを省くことができラック全体をコンパクトにすることができる。また、凹部は、側方支持部のうち扉の裏面と対向する部位の一部に設けてあることから食器の脱落を抑止し得る。よって、食器棚の扉の裏面に食器を収納可能とする部位を設けた場合に、収納及び取出しのしやすさと、食器の脱落の抑制の両立を図る食器棚とすることができる。
【００１０】
次に、第２の発明は、第１の発明の食器棚であって、前記凹部は、前記側方支持部のうち前記扉の裏面と対向する部位の一部に設けられている。
【００１１】
この第２の発明によれば、凹部は、側方支持部のうち扉の裏面と対向する部位の一部に設けられている。そのため、より一層、食器の収納及び取り出しがしやすくなる。
【００１２】
次に、第３の発明は、第１の発明または第２の発明の食器棚であって、前記凹部は、前記側方支持部の上端から下端に向けて幅が狭まった形状である。
【００１３】
この第３の発明によれば、凹部は、前記側方支持部の上端から下端に向けて幅が狭まった形状である。食器の一部が通過可能な構成を図りつつ、側方支持部の面積を確保することができるため、より食器の脱落を抑止し得る。
【００１４】
次に、第４の発明は、第１の発明から第３の発明のいずれかの食器棚であって、前記凹部の下方には、前記下面支持部上に支持された食器の脱落を抑制する脱落抑制部が設けられている。
【００１５】
この第４の発明によれば、凹部の下方には、下面支持部上に支持された食器の脱落を抑制する脱落抑制部が設けられている。このような脱落抑制部によって、より好適に食器の脱落を抑止し得る。
【発明の効果】
【００１６】
本発明は上記各発明の手段をとることにより、食器棚の扉の裏面に食器を収納可能とする部位を設けた場合に、収納及び取出しのしやすさと、食器の脱落の抑制の両立を図る食器棚とすることができる。
【図面の簡単な説明】
【００１７】
【図１】実施形態に係る食器棚の構成を模式的に示した正面図である。
【図２】実施形態に係る食器棚のラックを拡大して示した一部拡大斜視図である。
【図３】実施形態に係る食器棚のラックと従来のラックとにおける食器の収納時における使用状態を比較した模式図である。
【図４】実施形態に係る食器棚のラックと従来のラックとにおける食器の取り出し時における使用状態を比較した模式図である。
【図５】実施形態に係る食器棚のラックの変形例１を示した模式図である。
【図６】実施形態に係る食器棚のラックの変形例２を示した模式図である。
【図７】実施形態に係る食器棚のラックの変形例３を示した模式図である。
【図８】実施形態に係る食器棚のラックの変形例４を示した模式図である。
【図９】実施形態に係る食器棚のラックの変形例５を示した模式図である。
【図１０】実施形態に係る食器棚のラックの変形例６を示した模式図である。
【図１１】実施形態に係る食器棚のラックの変形例７を示した模式図である。
【発明を実施するための形態】
【００１８】
以下に、本発明を実施するための実施形態について、図１〜図４を用いて説明する。
【００１９】
図１に示すように食器棚１０は、キッチンなどの室内の壁面に並行に面した略矩形状の家具である。食器棚１０は、前面に開口部１２を有する箱状の収納部本体１４（図２参照）を複数有している。これら収納部本体１４は、高さ及び幅方向が種々異なる寸法とされており、それぞれ上下左右に組み合わされることで全体として正面視で略矩形の形状に形成される。
【００２０】
食器棚１０における収容形態は、種々の形態を有している。例えば、収納部本体１４の内部に上方が開口した箱を前後方向にスライド移動可能にした引き出し式の収納がある。また、前後方向に略矩形状に貫通されて家電製品等を収容できる多目的空間が形成される態様もある。また、収納部本体１４の内部は複数段の棚板１６が設けられている。棚板１６が設けられた収納部本体１４には、前面の開口部１２に引き戸を設けた態様や、開口部１２を開閉する扉２０を有した態様など様々である。本実施形態における食器棚１０は、収納部本体１４の開口部１２に開き扉２０を設けた態様に関するものである。
【００２１】
図２に示すように収納部本体１４は、開口部１２の側端側に回動可能に枢支されており開口部１２を開閉可能な扉２０を有している。扉２０は、例えばヒンジ機構２４等によって開口部１２の側端側に枢着されている。収納部本体１４の内部は、複数段の棚板１６が設けられている。ここで、棚板１６の前端１８は、収納部本体１４の内部の奥行の中間位置までとされている。棚板１６の前方は、略直方体形状の収容空間２５が設けられている。扉２０の裏面２２には、食器４０（図１参照）を収納可能とするラック２６が配設されている。ラック２６は、扉２０が閉じられたときに上記収容空間２５に位置することで、棚板１６の前端１８と干渉しないように構成される。なお、ラック２６は、扉２０の裏面２２において留め具２３などの固定手段によって固定されている。
【００２２】
ラック２６は、金属製の線状部材を適宜折曲げることにより、上面が開口した矩形の網かご状に形成されている。ラック２６は、食器４０（図１参照）の下面を支持可能とするために平面状の下面支持部２８と、下面支持部２８に支持された状態の食器４０の周囲を囲むように下面支持部２８の縁部から立設されている側方支持部３０と、を有している。下面支持部２８は、金属製、樹脂製などの板状部材が載置されている。下面支持部２８は、金属線の線状部材で設けられてもよいし、金属の網状部材を載置してもよい。
【００２３】
ここで、側方支持部３０のうち扉２０の裏面２２と対向する部位の一部には、食器４０の少なくとも一部が持ち上げられて食器４０の少なくとも一部の下面が下面支持部２８から離れた状態において、水平投影で見て食器４０の少なくとも一部が通過可能な凹部３２を有している。凹部３２は、側方支持部３０の上端から下端に向けて漸次、幅が狭まった形状である。本実施形態では、金属製の線状部材を下方に折り曲げて略台形状の凹部３２が設けられている。凹部３２の下端は、下面支持部２８よりも上方に位置した位置に設けられる。これにより、凹部３２の下端（凹部３２の下方）は、下面支持部２８上に支持された食器４０の脱落を抑制する脱落抑制部３４として構成される。
【００２４】
ここでラック２６に収容する食器４０は、水平投影の形状が下方に向かって狭まった形状、且つ、上下に積み重ね可能なものが望ましい。例えば、お茶碗、お椀、小鉢、小皿、とんすいなどがある。これらは、日常の使用頻度が高いため、取り出しやすいラック２６に収納すると便利であるためである。一方、大皿、平皿などの食器４０は、収納部本体１４の棚板１６側に収容することで、使用頻度に応じて収納位置を分けることができる。
【００２５】
ここで、本実施形態のラック２６について、図３、４を用いて側方支持部３０に凹部３２を有さない従来ラック９２６と比較して説明する。なお、ラック２６及び従来ラック９２６に収納する食器４０は、お椀とする。図３の図示は、従来ラック９２６を図３（Ｂ）で図示し、本実施形態のラック２６を図３（Ａ）に図示する。図４も同様である。
【００２６】
＜食器４０の収納時＞
図３（Ｂ）に示すように、従来ラック９２６では、複数枚重ねられた食器４０が側方支持部３０の高さ３０Ｈの分だけ乗り越えて上面の開口から入れる必要がある。そのため、食器４０を高い位置まで持ち上げる必要がある。また食器４０を把持する手は、食器４０の横に添えた状態で従来ラック９２６の上面の開口に差し入れる必要があり収納しにくい。また、従来ラック９２６の設置間隔９２６Ｐは、食器４０が側方支持部３０の高さ３０Ｈの分だけ乗り越える長さを確保する必要がある。一方、本実施形態のラック２６は、図３（Ａ）に示すように複数枚重ねられた食器４０を凹部３２に通過させるため、側方支持部３０の高さ３０Ｈの分だけ乗り越える必要がない。すなわち、本実施形態のラック２６は、従来ラック９２６に比して、食器４０を高い位置まで持ち上げる必要がない。また、食器４０を下面支持部２８に載置する際、手を凹部３２から差し入れることができるので収納しやすい。また、本実施形態のラック２６は、従来ラック９２６よりも食器４０を高い位置まで持ち上げる必要がないためラック２６の設置間隔２６Ｐは、従来ラック９２６の設置間隔９２６Ｐより小さい。
【００２７】
＜食器４０の取り出し時＞
従来ラック９２６は、図４（Ｂ）に示すように食器４０を取り出す時に従来ラック９２６の中に食器が収納されているため手が差し込みにくい。そのため、積み重ねられた食器４０の上方側から一枚ずつ取り出す必要がある。一方、図４（Ａ）に示すようにラック２６に収納された食器４０を取り出す時は、手を凹部３２に差し込むことができるため複数枚重ねられた食器４０をまとめて掴んで取り出すことができる。
【００２８】
このように、実施形態に係る食器棚１０によれば、側方支持部３０の一部には、食器４０の少なくとも一部が持ち上げられて食器４０の少なくとも一部の下面が下面支持部２８から離れた状態において、水平投影で見て食器４０の少なくとも一部が通過可能な凹部３２を有している。食器４０は、係る凹部３２を通過するため、食器４０が側方支持部３０を乗り越える高さを抑制し得る。そのため、食器４０の収納及び取り出しがしやすくなる。また、凹部３２によって食器４０が側方支持部３０を乗り越える高さを抑制し得ることから、扉２０側にラック２６を上下に複数設ける際にラック２６間の設置間隔２６Ｐを小さくすることができる。また、凹部３２に手を差し込むことで、ラック２６に積み重ねられた複数枚の食器４０をまとめて掴むことができるため、食器４０の取り出しがしやすくなる。さらに、凹部３２に手を差し込めることから、他の部位に手を差し込むスペースを省くことができラック２６全体をコンパクトにすることができる。また、凹部３２は、側方支持部３０のうち扉２０の裏面２２と対向する部位の一部に設けてあることから食器４０の脱落を抑止し得る。よって、食器棚１０の扉２０の裏面２２に食器４０を収納可能とするラック２６も設けた場合に、収納及び取出しのしやすさと、食器４０の脱落の抑制の両立を図る食器棚１０とすることができる。
【００２９】
また、凹部３２は、側方支持部３０のうち扉の裏面と対向する部位の一部に設けられている。そのため、より一層、食器４０の収納及び取り出しがしやすくなる。
【００３０】
また、凹部３２は、側方支持部３０の上端から下端に向けて幅が狭まった形状である。食器４０の一部が通過可能な構成を図りつつ、側方支持部３０の面積を確保することができるため、より食器４０の脱落を抑止し得る。
【００３１】
また、凹部３２の下方には、下面支持部２８上に支持された食器４０の脱落を抑制する脱落抑制部３４が設けられている。このような脱落抑制部３４によって、より好適に食器４０の脱落を抑止し得る。
【００３２】
以上、本発明の実施形態について説明したが、本発明の食器棚は、本実施の形態に限定されず、その他各種の形態で実施することができるものである。例えば、凹部３２の形状は、種々適用できる。例えば、図５に示すように、ラック１２６の凹部１３２のように漸次、幅が狭まった形状に限られず、下方に垂直に形成されていてもよい（変形例１）。また、図６に示すように、ラック２２６の凹部２３２のように、お茶碗、お椀、小鉢、小皿、とんすい等の形状に模した曲線状に設けてもよい（変形例２）。また、図７に示すように、ラック３２６の凹部３３２のように、ラック２６の脱落抑制部３４を設けない態様であってもよい（変形例３）。また、上記実施形態では、ラック２６の凹部３２は、２列に収納される食器４０に対応してそれぞれ設ける態様である。これにより、食器４０の脱落をより抑制する態様としている。しかしながら、これに限定されず、図８に示すように、ラック４２６の凹部４３２のように、２列に収納される食器４０の中間に設けて共用できる態様であってもよい（変形例４）。
【００３３】
また、本実施形態におけるラック２６は、金属製の線状部材による網かご状の形態を示したがこれに限定されない。例えば、図９に示すように、ラック５２６のように金属製、樹脂製の板状部材による箱状の形態でもよい（変形例５）。また図１０のように、木製等の板状部材による箱状のラック６２６の形態でもよい（変形例６）。また、金属製、樹脂製、木製等を板状部材、線状部材及び棒状部材等に加工しこれらを組み合わせた形態でもよい。例えば、図１１に示されるように、ラック７２６は下面支持部７２８、側方支持部７３０の一部を木製の板材とし、凹部７３２が設けられる側方支持部７３１（扉２０の裏面２２と対向する部位）を金属製の線状部材を屈曲させたものを取り付けてもよい（変形例７）。
【００３４】
また、本実施形態では、ラック２６内に食器４０を２列収納できる態様について説明しているが食器棚の扉２０との関係において種々の大きさを適用できる。図示は省略するが、ラック２６は、収納できる食器４０を２列以外に１列の構成としてもよいし、２列以上の構成であってもよい（変形例８）。
【００３５】
また、凹部３２は、側方支持部３０のうち扉２０の裏面２２と対向する部位の一部に設ける態様を示した。しかしながら、これに限定されない。図示を省略するが、凹部３２は、側方支持部３０のうち扉２０に交差する部位（ラック２６の側面）に設ける態様であってもよい（変形例９）。
【００３６】
また、ラック２６は、扉２０の裏面２２において留め具２３などの固定手段によって固定されている態様について示した。しかしながらこれに限定されない。例えば、固定手段は、ネジ、クリップ、フック、ダボなどの形態であってよく、またそれらは扉の裏面に予め複数取付けられた状態であったり、また、固定用の穴が連続して複数設けられ、その任意の位置に固定してもよい。また、図示を省略するが、ラック２６の固定手段は、複数の取付位置を設けた板状の取付金具を扉２０の裏面２２に構成する態様であってもよい。ラック２６は、係る取付金具を介して任意の位置に係止されることで、扉２０に対する高さ方向、左右方向の自由に取り付けることができる。また、取付金具は、スライド機構を備える態様であってもよい（変形例１０）。
【符号の説明】
【００３７】
１０      食器棚
１２      開口部
１４      収納部本体
１６      棚板
１８      棚板の前端
２０      扉
２２      扉の裏面
２３      留め具
２４      ヒンジ機構
２５      収容空間
２６      ラック
２６Ｐ    設置間隔
２８      下面支持部
３０      側方支持部
３２      凹部
３４      脱落抑制部
４０      食器
【図１】
2017038699.tif 000003
【図２】
2017038699.tif 000004
【図３】
2017038699.tif 000005
【図４】
2017038699.tif 000006
【図５】
2017038699.tif 000007
【図６】
2017038699.tif 000008
【図７】
2017038699.tif 000009
【図８】
2017038699.tif 000010
【図９】
2017038699.tif 000011
【図１０】
2017038699.tif 000012
【図１１】
2017038699.tif 000013